【手続補正書】
【提出日】平成16年3月11日(2004.3.11)
【手続補正１】
【補正対象書類名】明細書
【補正対象項目名】特許請求の範囲
【補正方法】変更
【補正の内容】
【特許請求の範囲】
【請求項１】
給水系のパイプラインとこのパイプラインに接続された末端給水ラインとの間に主開閉弁を設けた主制御流路を形成し、
前記主制御流路に設けた主開閉弁の二次側を流れる水量が設定流量を超えた過剰流量であると検出したときに、この主開閉弁を閉止して前記主制御流路から前記末端給水ラインへの給水を遮断し、
前記主開閉弁が開放したとき、この末端給水ラインが設定流量以内の流量のときに主制御流路からの給水を継続し、前記末端給水ラインが設定流量を超える過剰流量のとき再度、主開閉弁を閉塞して前記主制御流路から末端給水ラインへの給水を遮断する
ことを特徴とする給水系の流量制御方法。
【請求項２】
給水系のパイプラインとこのパイプラインに接続された末端給水ラインとの間に主開閉弁を設けた主制御流路を形成するとともに、この主制御流路と並列にこの主制御流路を流れる流量より小流量に規制するバイパス開閉弁を設けたバイパス制御流路を形成し、前記主制御流路に設けた主開閉弁の二次側を流れる水量が設定流量を超えた過剰流量であると検出したときに、この主開閉弁を閉止して前記主制御流路から前記末端給水ラインへの給水を遮断するとともに前記バイパス制御流路から末端給水ラインに引き続き低圧給水し、
前記主開閉弁が開放したとき、この末端給水ラインが設定流量以内の流量のときに主制御流路からの給水を継続し、前記末端給水ラインが設定流量を超える過剰流量のとき再度、主開閉弁を閉塞して前記主制御流路から末端給水ラインへの給水を遮断して前記バイパス制御流路から末端給水ラインに引き続き給水する
ことを特徴とする給水系の流量制御方法。
【請求項３】
主制御流路の主開閉弁の一次側に形成したオリフィスの一次側と二次側との流速による差圧が設定値を超えたとき、末端給水ラインに流れる水量が設定流量を超えた過剰流量として検出して主パイロット流路の加圧水の水圧で主開閉弁が閉止し、前記主制御流路から末端給水ラインへの給水を遮断することを特徴とする請求項１または２記載の給水系の流量制御方法。
【請求項４】
主開閉弁の一次側を流れる水圧と二次側を流れる水圧との差圧を検出してこの差圧に応じて主パイロット流路から前記主開閉弁の加圧室を加圧する水圧を調整し、加圧室の水圧に応じてこの主開閉弁の開口量を調整し、この主開閉弁の二次側の水圧を設定圧に保持することを特徴とする請求項３記載の給水系の流量制御方法。
【請求項５】
主制御流路の主開閉弁の一次側に形成したオリフィスの一次側と二次側との水の流速による差圧が設定値を超えたとき、主パイロット流路の前記主開閉弁を閉止する水圧をこの主パイロット流路の水圧で自己保持して主開閉弁の閉止状態を継続保持し、
この主パイロット流路の前記主開閉弁を閉止する水圧の自己保持を解除することにより、前記オリフィスの一次側と二次側との水の流速による差圧が設定値以内であるときに、前記主パイロット流路から前記主開閉弁を加圧する水圧を低下させることにより前記主開閉弁を開放して前記主制御流路から末端給水ラインに給水し、前記オリフィスの一次側と二次側との水の流速による差圧が設定値以上であると、前記主パイロット流路から前記主開閉弁を加圧する水圧によってこの主開閉弁が閉止して前記主制御流路の通水を遮断し、前記オリフィスの一次側と二次側との水の流速による差圧が設定値以内となるまで主パイロット流路の水圧の自己保持と解除とを反復する
ことを特徴とする請求項４記載の給水系の流量制御方法。
【請求項６】
バイパス開閉弁の一次側を流れる水圧と二次側を流れる水圧との差圧を検出してこの差圧に応じてバイパスパイロット流路から前記バイパス開閉弁の加圧室を加圧する水圧を調整し、加圧室の水圧に応じてこのバイパス開閉弁の開口量を調整し、このバイパス開閉弁の二次側の水圧を設定圧に保持することを特徴とする請求項２記載の給水系の流量制御方法。
【請求項７】
タイマによる制御にて夜間時には主開閉弁を閉止して主制御流路を流れる水を遮断し、バイパス開閉弁にてバイパス制御流路を流れる水を昼間時の主制御流路の設定流量より少量の設定流量に切換え制御して末端給水ラインに給水することを特徴とする請求項２または６記載の給水系の流量制御方法。
【請求項８】
給水系のパイプラインと末端給水ラインとの間の主制御流路に設けられ、一次側と二次側とを連通する弁口を開閉する弁体、この弁体が弁口を閉止する方向にこの弁体を付勢するスプリング、流入された加圧水によって弁体が弁口を閉止する方向に変形押圧されるダイヤフラムにて仕切られた加圧室を有し前記主制御流路を流れる水圧によって前記弁体がスプリングに抗して開放する主開閉弁と、
この主開閉弁の一次側と二次側とを連通した主パイロット流路に設けられかつ前記主開閉弁の一次側に連通される一次側が常時前記主開閉弁の加圧室に連通されるとともにこの一次側とこの主開閉弁の二次側に連通される二次側とを前記主開閉弁の一次側を流れる水圧と二次側を流れる水圧との差圧に応じて開放量が調整されて前記主開閉弁の二次側を流れる水圧を設定圧に保持する主減圧パイロット弁と、
前記主開閉弁の一次側に形成されたオリフィスと、
前記主パイロット流路の一次側に接続されるとともに前記オリフィスの一次側と二次側との水圧を受けて弁体を開閉させるダイヤフラムを設けた加圧室を有し前記オリフィスの一次側と二次側とを流れる水の流速による差圧によって開閉されこの差圧が設定値を超えたとき前記末端給水ラインに流れる水が設定流量を超えた過剰流量として検出して開放される過剰水量検出パイロット弁と、
前記主減圧パイロット弁の二次側に設けられ前記過剰水量検出パイロット弁の開放で流入する加圧水により前記主パイロット流路の二次側を閉止する主水圧制御弁と
を備えたことを特徴とする給水系の流量制御装置。
【請求項９】
過剰水量検出パイロット弁の二次側に接続されこの過剰水量検出パイロット弁の二次側からの加圧水によって前記オリフィスの二次側の加圧水を開放してこの過剰水量検出パイロット弁を過剰流量出の開放状態を保持する閉止保持制御弁と、
前記過剰水量検出パイロット弁の二次側と前記主水圧制御弁および閉止保持制御弁との間に接続され前記過剰水量検出パイロット弁の二次側の加圧水を開放する過剰水量検出解除弁と
を設けたことを特徴とする請求項８記載の給水系の流量制御装置。
【請求項１０】
主減圧パイロット弁は主開閉弁の一次側を流れる水圧と二次側を流れる水圧との差圧に応じた開放量を調整可能としたことを特徴とする請求項８または９記載の給水系の流量制御装置。
【請求項１１】
過剰水量検出パイロット弁は末端給水ラインに流れる水が過剰流量として検出する設定流量を調整可能としたことを特徴とする請求項８ないし１０のいずれかに記載の給水系の流量制御装置。
【請求項１２】
主制御流路を流れる流量より小流量に規制するバイパス開閉弁を設けたバイパス制御流路を主制御流路と並列に接続したことを特徴とする請求項８ないし１１のいずれかに記載の給水系の流量制御装置。
【請求項１３】
バイパス開閉弁は、一次側と二次側とを連通する弁口を開閉する弁体と、この弁体が弁口を閉止する方向にこの弁体を付勢するスプリングと、流入された加圧水によって弁体が弁口を開放する方向に変形押圧されるダイヤフラムにて仕切られた加圧室とを有し、前記主制御流路を流れる水圧によって前記弁体がスプリングに抗して開放し、
このバイパス開閉弁の一次側と二次側とを連通したバイパスパイロット流路に設けられかつ前記バイパス開閉弁の一次側に連通される一次側が常時前記バイパス開閉弁の加圧室に連通されるとともにこの一次側とこのバイパス開閉弁の二次側に連通される二次側とを前記バイパス開閉弁の一次側を流れる水圧と二次側を流れる水圧との差圧に応じて開放量が調整されて前記バイパス開閉弁の二次側を流れる水圧を設定圧に保持するバイパス減圧パイロット弁と、
このバイパス減圧パイロット弁の二次側に設けられ前記過剰水量検出パイロット弁の開放で流入する加圧水により前記バイパスパイロット流路の二次側を閉止するバイパス水圧制御弁と
を備えたことを特徴とする請求項１２記載の給水系の流量制御装置。
【請求項１４】
バイパス減圧パイロット弁はバイパス開閉弁の一次側を流れる水圧と二次側を流れる水圧との差圧に応じた開放量を調整可能としたことを特徴とする請求項１３記載の給水系の流量制御装置。
【請求項１５】
主開閉弁の一次側に接続され主水圧制御弁に加圧水を流動させて前記主パイロット流路の二次側を閉止させる夜間通水制御弁と、
この夜間通水制御弁を作動させるタイマと
を備えたことを特徴とする請求項８ないし１４のいずれかに記載の給水系の流量制御装置。
【手続補正２】
【補正対象書類名】明細書
【補正対象項目名】０００４
【補正方法】変更
【補正の内容】
【０００４】
【課題を解決するための手段】
請求項１記載の発明の給水系の流量制御方法は、給水系のパイプラインとこのパイプラインに接続された末端給水ラインとの間に主開閉弁を設けた主制御流路を形成し、前記主制御流路に設けた主開閉弁の二次側を流れる水量が設定流量を超えた過剰流量であると検出したときに、この主開閉弁を閉止して前記主制御流路から前記末端給水ラインへの給水を遮断し、前記主開閉弁が開放したとき、この末端給水ラインが設定流量以内の流量のときに主制御流路からの給水を継続し、前記末端給水ラインが設定流量を超える過剰流量のとき再度、主開閉弁を閉塞して前記主制御流路から末端給水ラインへの給水を遮断するものである。


【手続補正３】
【補正対象書類名】明細書
【補正対象項目名】０００５
【補正方法】変更
【補正の内容】
【０００５】
この給水系の流量制御方法では、設定流量の給水が例えば、圃場の末端灌漑ラインなどの末端給水ラインに設定流量以内の水量が給水されている通常給水時は、パイプラインを流れる水は主制御流路の一次側から開放状態の主開閉弁を経て二次側に給水し、末端給水ラインからの散布などによって灌漑される。この給水時に、末端給水ラインに設定流量を超えて給水されると、主パイロット流路からの水圧が高まり、主開閉弁が閉じ、主制御流路を流れる給水が遮断される。


【手続補正４】
【補正対象書類名】明細書
【補正対象項目名】０００６
【補正方法】変更
【補正の内容】
【０００６】
そして、灌漑散布するスプリンクラーの数を絞るなど、設定流量以内となるように末端給水ラインの給水量が絞り込まれた状態で主開閉弁を開放すると、末端給水ラインの通水量が設定流量以内のとき末端給水ラインに主制御流路から給水し、また、このとき、末端給水ラインに設定流量を超えた過剰流量として検出されると再び、主開閉弁は閉止されて末端給水ラインに主制御流路からの給水を遮断し、末端給水ラインに設定流量以内の給水が行われる。


【手続補正５】
【補正対象書類名】明細書
【補正対象項目名】０００７
【補正方法】変更
【補正の内容】
【０００７】
請求項２記載の発明の給水系の流量制御方法は、給水系のパイプラインとこのパイプラインに接続された末端給水ラインとの間に主開閉弁を設けた主制御流路を形成するとともに、この主制御流路と並列にこの主制御流路を流れる流量より小流量に規制するバイパス開閉弁を設けたバイパス制御流路を形成し、前記主制御流路に設けた主開閉弁の二次側を流れる水量が設定流量を超えた過剰流量であると検出したときに、この主開閉弁を閉止して前記主制御流路から前記末端給水ラインへの給水を遮断するとともに前記バイパス制御流路から末端給水ラインに引き続き低圧給水し、前記主開閉弁が開放したとき、この末端給水ラインが設定流量以内の流量のときに主制御流路からの給水を継続し、前記末端給水ラインが設定流量を超える過剰流量のとき再度、主開閉弁を閉塞して前記主制御流路から末端給水ラインへの給水を遮断して前記バイパス制御流路から末端給水ラインに引き続き給水するものである。


【手続補正６】
【補正対象書類名】明細書
【補正対象項目名】００４１
【補正方法】変更
【補正の内容】
【００４１】
請求項１５記載の発明の給水系の流量制御装置は、請求項８ないし１４のいずれかに記載の給水系の流量制御装置において、主開閉弁の一次側に接続され主水圧制御弁に加圧水を流動させて前記主パイロット流路の二次側を閉止させる夜間通水制御弁と、この夜間通水制御弁を作動させるタイマとを備えたものである。


【手続補正７】
【補正対象書類名】明細書
【補正対象項目名】００６１
【補正方法】変更
【補正の内容】
【００６１】
また、主制御回路３から末端灌漑ライン２への給水が遮断された状態で、主水圧制御弁18の受圧部に掛かる水圧を開放して一次側と二次側とを連通させたとき、末端灌漑ライン２の供給水量が設定流量以内となるように設定してあると、オリフィス７の一次側と二次側との流速による圧力差(動圧)が設定値以内となり、過剰灌漑検知パイロット弁35のオリフィス７の二次側の加圧水にてダイヤフラム37は弁体36が弁口を閉止する方向に変形され、過剰水量パイロット弁35は閉止されて一次側と二次側とが遮断され、図２に示すように、主パイロット流路15の一次側と二次側が連通し、主開閉弁４の加圧室14を加圧する加圧水の圧力が低下し、ダイヤフラム13はスプリング12の付勢力と主制御流路３の水圧とにより弁体11が弁口10を開放する方向に変形し、主開閉弁４は開放されて、主制御流路３から末端灌漑ライン２に給水される。


【手続補正８】
【補正対象書類名】明細書
【補正対象項目名】０１１１
【補正方法】変更
【補正の内容】
【０１１１】
【発明の効果】
請求項１記載の発明によれば、圃場などの末端給水ラインに設定流量を超えた過剰流量の給水が行われると、主開閉弁が閉じ、主制御流路から末端給水ラインへの給水が遮断され、設定流量以内となっている状態で主開閉弁が開放されると末端給水ラインに設定流量以内の流量の給水を行え、主開閉弁を閉止して主制御流路から前記末端給水ラインへの給水を遮断でき、末端給水ラインの需給バランスを保ち、末端給水の管理が適切にでき、農産物の灌漑管理などが容易となるとともに生産効率を高めることができる。